(57)【要約】【課題】  内部からの意匠性もよく、有効に利用できる床部の面積を広げることができる手摺付き床構造を提供する。【解決手段】手摺付き床構造は、建築物に設けられる手摺付き床構造であって、防水性を有するとともに屋外縁に立ち上がり部が形成されており、その上面を流れる液体を外部に排出する排水経路を有する下層床と、前記下層床から上方に離間させて設けられ、屋外縁が前記立ち上がり部の上に延びる上層床とを備える二重床部と、前記二重床部の屋外側に配置され、少なくとも下端が前記上層床よりも下方に配置される手摺面材と、を備える。【選択図】図４
2017082501.tif 000002
【特許請求の範囲】
【請求項１】
建築物に設けられる手摺付き床構造であって、
防水性を有するとともに屋外縁に立ち上がり部が形成されており、その上面を流れる液体を外部に排出する排水経路を有する下層床と、前記下層床から上方に離間させて設けられ、屋外縁が前記立ち上がり部の上に延びる上層床とを備える二重床部と、
前記二重床部の屋外側に配置され、少なくとも下端が前記上層床よりも下方に配置される手摺面材と、
を備えることを特徴とする手摺付き床構造。
【請求項２】
前記手摺面材は、前記二重床部との間に隙間を空けて配置されることを特徴とする請求項１に記載の手摺付き床構造。
【請求項３】
前記手摺面材と前記二重床部との間の前記隙間に、グレーチング蓋が設けられることを特徴とする請求項２に記載の手摺付き床構造。
【請求項４】
前記手摺面材は、前記上層床の上面よりも下の部分が、少なくとも前記二重床部の屋外側面を覆う格子面材であることを特徴とする請求項２又は請求項３に記載の手摺付き床構造。
【請求項５】
前記手摺面材は、前記上層床の上面よりも上部が光透過性を有することを特徴とする請求項１から請求項４のいずれかに記載の手摺付き床構造。
【請求項６】
前記手摺面材は、前記上層床の上面よりも上部が透明であることを特徴とする請求項１から請求項４のいずれかに記載の手摺付き床構造。
【請求項７】
建築物の外壁に設けられた掃き出し窓の屋外側に設けられる手摺付き床構造であって、
前記上層床の上面、前記建築物の屋内床面、及び前記掃き出し窓の下レールが略面一に形成されたフラットバルコニーであることを特徴とする請求項６に記載の手摺付き床構造。
【請求項８】
建築物の２階以上の階層に設けられる手摺付き床構造であって、
前記二重床部は、前記下層床の下方に前記建築物の下階の外壁面から水平に突出する軒天井を有し、
前記手摺面材は、その下端が前記軒天井よりも下方に垂下していることを特徴とする請求項１から請求項７のいずれかに記載の手摺付き床構造。
【発明の詳細な説明】
【技術分野】
【０００１】
本発明は、例えば、建築物に設けられるバルコニー・ベランダ・外廊下・屋上などのように、床部と手摺とを備える手摺付き床構造に関する。
【背景技術】
【０００２】
一般的なバルコニー等の手摺付き床構造は、床部の上面に降る雨水を屋外に排出するために、当該上面に僅かな勾配を設け、床部の屋外側の縁に設けられた側溝に雨水を流し、側溝の最も下流に排水ドレインを設けて、縦樋などに当該雨水を排水している。そして、側溝のさらに屋外側には、立ち上がり部を設けて雨水が側溝から屋外に溢れ出すことを抑制している。そして、この立ち上がり部の上に手摺の支柱や手摺壁を設置している。
【０００３】
ところで、屋外側から見た場合、立ち上がり部が屋外側に露出しており、この立ち上がり部の上に手摺の支柱などが見える構成であるので、デザイン上の統一感がなく、建物全体のデザインが雑多なものとなる恐れがあった。そこで、本願の出願人は、バルコニーの立ち上がり部の上に支柱を立設するとともに、当該支柱の屋外側及びバルコニーの立ち上がり部の屋外側に格子面材を固定することで、格子面材により立ち上がり部や床部を隠して一体的で統一感のあるデザインを提案している（特許文献１参照）。
【先行技術文献】
【特許文献】
【０００４】
【特許文献１】特開２０１４−７４２７６号公報
【発明の概要】
【発明が解決しようとする課題】
【０００５】
しかし、上述の特許文献１の例においても、屋内側からは立ち上がり部が見えているので、屋内側から見た意匠性は向上されていない。また、床部の一部が立ち上がり部となることから、バルコニー等として利用できる面積は減少する。
【０００６】
そこで本発明は、内部からの意匠性もよく、有効に利用できる床部の面積を広げることができる手摺付き床構造を提供することを目的とする。
【課題を解決するための手段】
【０００７】
本発明の手摺付き床構造は、建築物に設けられる手摺付き床構造であって、防水性を有するとともに屋外縁に立ち上がり部が形成されており、その上面を流れる液体を外部に排出する排水経路を有する下層床と、前記下層床から上方に離間させて設けられ、屋外縁が前記立ち上がり部の上に延びる上層床とを備える二重床部と、前記二重床部の屋外側に配置され、少なくとも下端が前記上層床よりも下方に配置される手摺面材と、を備えることを特徴としている。
【０００８】
また、本発明の手摺付き床構造は、前記手摺面材は、前記二重床部との間に隙間を空けて配置されることを特徴としている。
【０００９】
また、本発明の手摺付き床構造は、前記手摺面材と前記二重床部との間の前記隙間に、グレーチング蓋が設けられることを特徴としている。
【００１０】
また、本発明の手摺付き床構造は、前記手摺面材は、前記上層床の上面よりも下の部分が、少なくとも前記二重床部の屋外側面を覆う格子面材であることを特徴としている。
【００１１】
また、本発明の手摺付き床構造は、前記手摺面材は、前記上層床の上面よりも上部が光透過性を有することを特徴としている。
【００１２】
また、本発明の手摺付き床構造は、前記手摺面材は、前記上層床の上面よりも上部が透明であることを特徴としている。
【００１３】
また、本発明の手摺付き床構造は、建築物の外壁に設けられた掃き出し窓の屋外側に設けられる手摺付き床構造であって、前記上層床の上面、前記建築物の屋内床面、及び前記掃き出し窓の下レールが略面一に形成されたフラットバルコニーであることを特徴としている。
【００１４】
また、本発明の手摺付き床構造は、建築物の２階以上の階層に設けられる手摺付き床構造であって、前記二重床部は、前記下層床の下方に前記建築物の下階の外壁面から水平に突出する軒天井を有し、前記手摺面材は、その下端が前記軒天井よりも下方に垂下していることを特徴としている。
【発明の効果】
【００１５】
本発明の手摺付き床構造によると、屋外縁に立ち上がり部が形成された下層床の上に上層床が立ち上がり部の上にまで延びて配置されているので、上層床により下層床及びその立ち上がり部が隠れており、上層床の上から立ち上がり部は見えない。したがって、上層床の上に立って手摺付き床構造を見た場合に、立ち上がり部がなく、上層床の屋外縁からそのまま手摺面材が立ち上がっており、意匠性を向上させることができる。また、下層床の立ち上がり部が上層床の下に配置されていることで、上層床の上には立ち上がり部が設けられていないので、上層床の有効に利用できる面積を広くすることができる。
【００１６】
本発明の手摺付き床構造によると、手摺面材と二重床部との間に隙間が空けられているので、当該隙間から通風することができ、手摺面材が例えばガラス板のような通風性を有さないものであった場合でも、手摺面材の屋内側の空間の通風性能を高めることができる。
【００１７】
本発明の手摺付き床構造によると、手摺面材と二重床部との間の隙間に、グレーチング蓋が設けられているので、上述の通風性能を確保しつつ、落下物を防止することができる。また、下層床の排水経路上の詰まりや、当該排水経路の排水能力以上の降雨などで、下層床上に水が溜まった場合に、手摺面材と二重床部との間にグレーチン蓋を設けた隙間があるので、溜まった水をオーバーフローさせることもできる。
【００１８】
本発明の手摺付き床構造によると、手摺面材の上層床の上面よりも下の部分が格子面材で構成されており、二重床部の屋外側面を覆っているので、屋外側から二重床部の屋外側面が隠れ、屋外側からの意匠性を向上させることができる。特に、手摺面材と二重床部との間に隙間が空けられている場合には、外部から格子面材を通過してさらに隙間を通って風を手摺面材の屋内側に導入することができ通風性能を高めることができる。
【００１９】
本発明の手摺付き床構造によると、手摺面材は、上層床の上面よりも上部が光透過性を有しているので、手摺面材の屋内側に光を取り入れることができる。特に、本発明の手摺付き床構造は、上層床の上には立ち上がり部が無いので、より多くの光を取り入れることができる。
【００２０】
本発明の手摺付き床構造によると、手摺面材は、上層床の上面よりも上部が透明であり、しかも上層床の上には立ち上がり部が無いので、上層床の屋外縁の屋外側は透明の面材のみである。したがって、屋外側の空間と上層床の上の空間の間とが連続的な一体感が生まれ、手摺付き床構造のさらに屋内側の空間からの視界の抜けも向上することができる。
【００２１】
本発明の手摺付き床構造によると、手摺付き床構造が、上層床の上面、建築物の屋内床面、及び掃き出し窓の下レールが略面一に形成されたフラットバルコニーであるので、バルコニーの上層床の上面には屋外縁に立ち上がり部がなく、また、窓の下レールもほぼフラットに形成されていることから、屋内、手摺付き床構造、及び屋外の統一的な一体感が生じる。特に、手摺面材の上層床の上面よりも上部が透明である場合には、屋内から見て、屋外までの間に視線を遮るものが無く、より屋内から屋外までの一体感が生じる。
【００２２】
本発明の手摺付き床構造によると、手摺面材は、その下端が軒天井よりも下方に垂下しているので、下階の日射を低減させることができる。
【図面の簡単な説明】
【００２３】
【図１】手摺付き床構造としてのバルコニーを備えた住宅の構成を示す正面図。
【図２】住宅及びバルコニーの内部構造を示す断面図。
【図３】手摺面材の構成を示す正面図。
【図４】手摺付き床構造としてのバルコニーの内部構成を示す拡大断面図。
【図５】通風及び上層床面積の拡大効果を説明するバルコニーの一部省略拡大断面図。
【図６】視界の抜け及び日射遮蔽効果を説明するバルコニーの一部省略拡大断面図。
【発明を実施するための形態】
【００２４】
以下、本発明に係る手摺付き床構造の最良の実施形態について、各図を参照しつつ説明する。本実施形態の手摺付き床構造は、２層以上の階層を有する住宅１のバルコニー２である。なお、本発明の「手摺付き床構造」は、バルコニー２に限定されるものではなく、ベランダ、外廊下、屋上などのように、床部と手摺とを備える手摺付き床構造に適用することができる。また、本発明における「建築物」は住宅１に限定されるものではなく、アパート・マンションのような集合住宅やその他の建築物であっても良い。なお、住宅はバルコニー２の他に玄関３６、１階の掃き出し窓３７、２階の小窓３８などの構成を備えるが、本発明における特徴部分ではないので説明を省略する。
【００２５】
図１及び図２に示すように、手摺付き床構造であるバルコニー２は、建築物としての住宅１の外壁３から屋外側に向かって突出するように設けられている。バルコニー２は、本実施形態では、住宅１の２階の角の屋外側にＬ字状に形成されている。なお、バルコニー２は、Ｌ字状のものに限定されるものではない。
【００２６】
バルコニー２は、図２及び図４に示すように、２階の外壁３に設けられた引き違い式の掃き出し窓４を通じて住宅１の２階居室５との間で出入り可能に連通している。掃き出し窓４の下レール６は段差をほとんど設けないフラットタイプのレールであり、バルコニー２は当該バルコニー２の上面を形成する上層床７、２階居室５の床面５ａ、及び掃き出し窓４の下レール６が略面一に形成されたフラットバルコニーである。
【００２７】
バルコニー２は、排水経路を有する下層床８と、下層床８から上方に離間させて設けられた上層床７とを備える二重床部９と、二重床部９の屋外側に配置され、少なくとも下端が上層床７よりも下方に配置される手摺面材１０と、を備えている。
【００２８】
二重床部９は、図示しないが、住宅１の胴差部に設けられた梁に固定されて屋外側に突出する一対の腕木の間にフレーム１１を固定して水平な面を形成し、当該フレーム１１に下層床８の下地板１２を固定する。そして、下地板１２の上には樹脂材からなる勾配層１３が設けられ、その上に防水シート１４が重ねられて下層床８を構成している。下層床８の屋外縁には、立ち上がり部１５が形成されており、この立ち上がり部１５の屋内側の側面から上面を通って屋外側の側面にまで、防水シート１４が貼り重ねられている。フレーム１１の屋外縁には、手摺面材１０を支持する支持腕１６が屋外方向に突出しており、この支持腕１６に手摺面材１０の下部の屋内側に設けられた係止部１７が引っ掛けられて、ボルトで固定されている。また、フレーム１１の屋外縁の下には、二重床部９の屋外側の面を構成する化粧材１８が垂れ下がって固定されており、この化粧材１８の下端と住宅１の１階の外壁３との間に、軒天井１９が架設されている。
【００２９】
下層床８の防水シート１４上を流れる雨水は、傾斜によって屋内側から屋外側に流れて立ち上がり部１５の屋内側に沿って設けられた排水溝２０に集められる。そして、排水溝２０にも僅かな傾斜が設けられており、この排水溝２０の最も下流に設けられている図示しない排水ピットの底部に設けられた排水ドレインを通って縦樋へと排水される。
【００３０】
下層床８の上面には、複数の床束２１が立設されている。そして、床束２１の上には、長尺な床受材２２を支持しており、この床受材２２の上に上層床７の複数のデッキ材２３が敷き詰められるように固定されている。床受材２２及びデッキ材２３は、下層床８の立ち上がり部１５の上にまで延びており、下層床８の立ち上がり部１５はデッキ材２３に隠されて、バルコニー２上から視認することはできない。複数のデッキ材２３の間には僅かな間隙が空いており、上層床７の上に降った雨水は、この間隙を通って、下層床８の上面の防水シート１４に流れ落ちる。
【００３１】
手摺面材１０は、図３及び図４に示すように、バルコニー２のフレーム１１から延びる支持腕１６に引っ掛けられてボルトで固定される係止部１７と、係止部１７に固定されて、下方に垂れ下がる水平な複数の格子材２４を組み合わせた格子面材２５と、係止部１７に固定されており、透明なガラス面材２６が固定される手摺部２７と、を有している。なお、手摺部２７のガラス面材２６は、本実施形態においては透明なガラス製であるが、本発明における手摺面材１０の上部に設けられた面材は、例えば磨りガラスのように光透過性は有するが視界は遮る材料のものも含む。またガラスに限定されるものではなく、透明または半透明の樹脂製のものであっても良い。
【００３２】
係止部１７は、支持腕１６に固定されて格子面材２５及び手摺部２７を支持するものである。そして、手摺部２７は、複数の矩形平板状のガラス面材２６と、係止部１７の上に所定ピッチで立設され、手摺部２７に支持されている支柱２８と、支柱２８の上面に架設されガラス面材２６の上端がはめ込まれる笠木２９と、支柱２８の下端の屋外側の面に固定されて水平に架設されているガラス面材２６の下端がはめ込まれる水平受材３０と、ガラス面材２６の側端がはめ込まれる側受材３１と、水平受材３０の下側に設けられ、水平受材３０よりも屋外側に突出する扁平な水平長手材である見切材３２とを備えている。手摺部２７は水平受材３０が二重床部９の上層床７の上面よりも低い位置になるように配置されている。また水平受材３０と二重床部９の屋外側面との間には隙間が設けられており、水平受材３０の上には、当該隙間を覆うようにグレーチング蓋３３が載置されている。
【００３３】
格子面材２５は、多数の水平な格子材２４を縦材３４で組み合わせて形成した横格子の面材であり、係止部１７に固定されて垂れ下がっている格子受部３５に固定されている。格子面材２５の下端は、二重床部９の軒天井１９よりも下方に垂れ下がっている。
【００３４】
このように構成されていることによって、図６のαで矢示するように、上層床７の上から下層床８の立ち上がり部１５が見えないのでバルコニー２の上に立って屋外方向を見た場合に、立ち上がり部１５がなく、上層床７の屋外縁からそのまま手摺面材１０が立ち上がっているように見える。しかも、手摺面材１０の手摺部２７は、水平受材３０も二重床部９の上層床７の上面よりも低い位置になるように配置されているので、上層床７の屋外縁からはガラス面材２６が直接立ち上がっているように見えるので、屋外との間に視界を遮るものが無く、屋外との統一感を生み出すことができる。しかも、本実施形態の手摺付き床構造であるバルコニー２は、上層床７の上面、住宅１の２階居室５の床面５ａ、及び掃き出し窓４の下レール６が略面一に形成されたフラットバルコニーであるので、２階の居室５から屋外までの間に視線を遮るものが無く、屋内から屋外までの一体感を生み出すことができる。
【００３５】
また、下層床８の立ち上がり部１５が、上層床７の下に配置されていることで、上層床７の上には立ち上がり部１５が設けられていないので、立ち上がり部１５が上層床７上に設けられる場合と比較して、図５のβで示す範囲を有効利用することができる。したがって、上層床７を有効に利用できる面積を広くすることができ、バルコニー２の面積を広くすることができる。
【００３６】
そして、図５にγで矢示するように、手摺面材１０と二重床部９との間には隙間が空けられており、当該隙間はグレーチング蓋３３で覆われているので、当該隙間から通風することができ、手摺部２７がガラス面材２６であっても通風性を確保することができる。特に手摺面材１０の下部は格子面材２５で構成されているので、この格子面材２５を通過し、さらに隙間を通って風を手摺面材１０の屋内側のバルコニー２に導入することができ通風性能を高めることができる。また、グレーチング蓋３３が設けられていることから、落下物を防止することができ、例えば下層床８の排水経路上に設けられた図示しない排水ドレインの詰まりや、排水経路の排水能力以上の降雨などにより、下層床８上に水が溜まった場合には、手摺面材１０と二重床部９との間の隙間を通して、溜まった水をオーバーフローさせることもでき、上層床７の上に水がとどまることを防止できる。
【００３７】
さらに、図６に示すように、手摺面材１０の下部の格子面材２５は、その下端が軒天井１９よりも下方に垂下しているので、１階の日射を低減させる効果も有する。しかも、格子面材２５で形成されているので、通風を遮ることもない。
【００３８】
なお、本発明の実施の形態は上述の形態に限ることなく、本発明の思想の範囲を逸脱しない範囲で適宜変更することができることは云うまでもない。
【産業上の利用可能性】
【００３９】
本発明に係る手摺付き床構造は、例えば住宅１のバルコニー２として好適に適用することができる。
【符号の説明】
【００４０】
１      住宅（建築物）
２      バルコニー（手摺付き床構造）
３      外壁
４      掃き出し窓
５      居室（屋内）
５ａ    床面
６      下レール
７      上層床
８      下層床
９      二重床部
１０    手摺面材
１５    立ち上がり部
１９    軒天井
２５    格子面材
３３    グレーチング蓋
【図１】
2017082501.tif 000003
【図２】
2017082501.tif 000004
【図３】
2017082501.tif 000005
【図４】
2017082501.tif 000006
【図５】
2017082501.tif 000007
【図６】
2017082501.tif 000008